(57)【要約】  本液晶パネル駆動装置は、液晶パネルを第１および第２の極性に交流駆動する液晶パネル駆動装置であって、入力階調に対応する出力階調を生成する出力階調生成部を備え、該出力階調生成部は、同一の入力階調に対して、第１の極性に駆動する場合には第１の出力階調を生成する一方、第２の極性に駆動する場合には第２の出力階調を生成し、この第１および第２の出力階調は、交流駆動において入力階調と該入力階調に対応して出力すべき電圧の振幅中心とが有する特性に基づいて決定されている。上記構成によれば、各種液晶パネルに応じたΩ補正を容易に行うことができる液晶パネル駆動装置を提供することができる。
2007108161.tif 000002
【特許請求の範囲】
【請求項１】
液晶パネルを第１および第２の極性に交流駆動する液晶パネル駆動装置であって、
入力階調に対応する出力階調を生成する出力階調生成部を備え、
該出力階調生成部は、同一の入力階調に対して、第１の極性に駆動する場合には第１の出力階調を生成する一方、第２の極性に駆動する場合には第２の出力階調を生成することを特徴とする液晶パネル駆動装置。
【請求項２】
上記第１および第２の出力階調は、交流駆動において入力階調と該入力階調に対応して出力すべき電圧の振幅中心とが有する特性に基づいて決定されていることを特徴とする請求項１記載の液晶パネル駆動装置。
【請求項３】
入力階調Ｔｉに対して、第１の極性に駆動する場合には第１の出力階調Ｔ１を生成する一方、第２の極性に駆動する場合には第１の出力階調Ｔ１とは異なる第２の出力階調Ｔ２を生成することを特徴とする請求項１記載の液晶パネル駆動装置。
【請求項４】
第１の極性用ルックアップテーブルおよび第２の極性用ルックアップテーブルを備え、
上記出力階調生成部は、上記第１の極性用ルックアップテーブルを用いて第１の出力階調を生成し、上記第２の極性用ルックアップテーブルを用いて第２の出力階調を生成することを特徴とする請求項３記載の液晶パネル駆動装置。
【請求項５】
第１の極性用ルックアップテーブルおよび第２の極性用ルックアップテーブルにはそれぞれ、Ｒ用、Ｇ用およびＢ用があり、上記出力階調生成部は、Ｒ、ＧおよびＢの入力階調に対し、対応する第１の極性用ルックアップテーブルあるいは第２の極性用ルックアップテーブルを用いることを特徴とする請求項４記載の液晶パネル駆動装置。
【請求項６】
該出力階調生成部は、上記特性に基づいた階調変換処理およびガンマ補正処理を併せて行うことで上記第１あるいは第２の出力階調を生成することを特徴とする請求項２記載の液晶パネル駆動装置。
【請求項７】
上記第１および第２の出力階調に基づいて擬似多階調処理を行う擬似多階調処理部を備えることを特徴とする請求項１記載の液晶パネル駆動装置。
【請求項８】
入力階調Ｔｉが時間的に連続するような表示を行う場合に、上記第１および第２の出力階調Ｔ１・Ｔ２が交互に生成されることを特徴とする請求項３記載の液晶パネル駆動装置。
【請求項９】
液晶パネルを第１および第２の極性に交流駆動する、液晶パネルの駆動方法であって、
階調Ｔｉを示す入力データに対し、第１の極性に駆動する場合には階調Ｔ１を示す第１のデータＤ１を生成する一方で、第２の極性に駆動する場合には階調Ｔ１とは異なる階調Ｔ２を示す第２のデータＤ２を生成することを特徴とする液晶パネルの駆動方法。
【請求項１０】
階調Ｔｉを示す入力データが時間的に連続するような表示を行う場合に、上記第１および第２のデータＤ１・Ｄ２を交互に生成することを特徴とする請求項９記載の液晶パネルの駆動方法。
【請求項１１】
上記階調Ｔ１および階調Ｔ２は、交流駆動において入力階調と該入力階調に対応して出力すべき電圧の振幅中心とが有する特性に基づいて決定されていることを特徴とする請求項９記載の液晶パネルの駆動方法。
【請求項１２】
液晶パネルと、請求項１〜８のいずれか１項に記載の液晶パネル駆動装置とを備えることを特徴とする液晶表示装置。
【発明の詳細な説明】
【技術分野】
【０００１】
本発明は、液晶パネルを駆動する液晶パネル駆動装置およびそれを備えた液晶表示装置等に関する。
【背景技術】
【０００２】
マトリクス型の液晶表示装置は、画像の最小単位である画素がマトリクス状に配列したものである。特に、画素毎にスイッチング素子を有するアクティブマトリクス型の液晶表示装置は、精細な画像を表示することができ、広く利用されている。【０００３】
このアクティブマトリクス型の液晶表示装置では、上記各画素に表示用信号を供給するために、図１１のように液晶パネル１０１内に相互に平行に延びる複数の信号線１０２と、それら複数の信号線１０２と直交する複数の走査線１０３とが設けられ、さらにその交点の近傍にはＴＦＴ１０４（Ｔｈｉｎ  Ｆｉｌｍ  Ｔｒａｎｓｉｓｔｏｒ）が設けられている。【０００４】
ゲートドライバ１０５が一本の走査線１０３を選択状態（Ｈｉｇｈ出力）にすると、その選択された走査線１０３に接続されるＴＦＴ１０４はすべてＯＮ状態となり、その時ソースドライバ１０６から信号線１０２に出力されている電圧がＯＮ状態となっているＴＦＴ１０４に接続されている絵素電極１１０に充電され、その時に印可される電圧に応じて階調が表現され、画像が表示される。【０００５】
本来、ソースドライバ１０６から出力される電圧が液晶容量であるＣｌｃ１０８と、補助容量であるＣｃｓ１０９に充電され、絵素電極１１０と対向電極間の電圧によって液晶の透過率を決定する。【０００６】
しかし実際には走査線１０３と絵素電極１１０の間には寄生容量であるＣｇｄ１０７が存在する。よって走査線１０３が選択状態（Ｈｉｇｈ出力）から非選択状態（Ｌｏｗ出力）に変化すると、走査線１０３が選択状態の期間に充電された絵素電極１１０の電圧は、寄生容量であるＣｇｄ１０７の影響を受けて引き込まれてしまう。この引き込み電圧をΔＶとすると、ΔＶは以下のようになる。【０００７】
ΔＶ＝（ＶＧＨ−ＶＧＬ）×Ｃｇｄ÷（Ｃｌｃ＋Ｃｃｓ＋Ｃｇｄ）
ＶＧＨ：走査線１０３が選択状態の時の電圧
ＶＧＬ：走査線１０３が非選択状態の時の電圧
Ｃｇｄ：走査線１０３および絵素電極１１０間の寄生容量
Ｃｌｃ：液晶容量
Ｃｃｓ：補助容量
このΔＶを考慮し、ソースドライバ１０６は、本来印可すべき絵素電極１１０の電圧に、このΔＶをあらかじめ加えた電圧を出力し、寄生容量であるＣｇｄ１０７の影響を受けてΔＶだけ引き込まれた後に正しい電圧が絵素電極１１０にかかるように設計されている。【０００８】
しかし、液晶は分子長軸に平行方向の誘電率と垂直方向の誘電率が異なる（誘電率異方性）ため、液晶の配向、つまり液晶に印可する電圧によって液晶の容量（Ｃｌｃ１０８）が異なる。すなわち、引き込み電圧（ΔＶ）は階調に依存し、各階調によって、正極側駆動時に正極側に与えるべき電位と負極側駆動時に負極側に与えるべき電位のセンター（振幅中心）が異なる（Ω特性）。したがって、例えば白階調を基準にして対向電極の電位を設定すると、黒階調では正しい電圧が印加されず、液晶にＤＣ電圧が印加され続けて焼き付きが発生するといった問題が生じる。【０００９】
このΩ特性に対応するための構成（Ω補正を行う構成）として、特許文献１には、階調ごとに階調電圧発生回路を設け、各階調に対応する階調電圧の振幅中心を変化させる構成が開示されている。また、特許文献２には、Ω特性を考慮してソースドライバのラダー抵抗を正極側と負極側とで異なる抵抗分割比にする構成が開示されている。
【特許文献１】日本国公開特許公報「特開平５−２０３９１８号公報（公開日：１９９３年８月１３日）」
【特許文献２】日本国公開特許公報「特開２００１−１００７１１公報（公開日：２００１年４月１３日）」
【発明の開示】
【発明が解決しようとする課題】
【００１０】
しかしながら、特許文献１では、階調数分の階調電圧発生回路が必要となることから、６ビット６４階調あるいは８ビット２５６階調などのフルカラーが主流の現在においてはコストが高くなり過ぎるし、各種の液晶パネルに応じたΩ補正を行うことも容易でない。【００１１】
また特許文献２では、Ω特性を考慮してソースドライバ内部のラダー抵抗比を設定するが、各液晶パネル間で液晶の誘電率あるいは補助容量（Ｃｃｓ１０９）の容量が異なると、最適なラダー抵抗比も変わってしまう。すなわち、各液晶パネルに応じたΩ補正を行うには液晶パネルごとにソースドライバの構成を（ハード的に）変更する必要がある。【００１２】
本発明は、上記課題に鑑みてなされたものであり、その目的は、各種液晶パネルに応じたΩ補正を容易に行うことができる液晶パネル駆動装置を提供する点にある。【００１３】
本発明に係る液晶パネル駆動装置は、液晶表示装置を第１および第２の極性に交流駆動する液晶パネル駆動装置であって、入力階調に対応する出力階調を生成する出力階調生成部を備え、該出力階調生成部は、同一の入力階調に対して、第１の極性に駆動する場合には第１の出力階調を生成する一方、第２の極性に駆動する場合には第２の出力階調を生成することを特徴とする。例えば、入力階調Ｔｉに対して、第１の極性に駆動する場合には第１の出力階調Ｔ１を生成する一方、第２の極性に駆動する場合には出力階調Ｔ１とは異なる第２の出力階調Ｔ２を生成する。【００１４】
上記構成によれば、各種液晶パネルによってΩ特性が変化しても、第１および第２の出力階調（デジタルデータ）を適宜変更するだけでこれに対応できる。例えば、第１および第２の出力階調Ｔ１・Ｔ２を、交流駆動において入力階調と該入力階調に対応して出力すべき電圧の振幅中心とが有する特性（Ω特性）に基づいて設定（変更）する。これにより、各種液晶パネルに応じたΩ補正を容易に行うことが可能となる。【００１５】
本液晶パネル駆動装置においては、第１の極性用ルックアップテーブルおよび第２の極性用ルックアップテーブルを備え、上記出力階調生成部は、上記第１の極性用ルックアップテーブルを用いて第１の出力階調を生成し、上記第２の極性用ルックアップテーブルを用いて第２の出力階調を生成する構成とすることが好ましい。こうすれば、第１の極性用ルックアップテーブルおよび第２の極性用ルックアップテーブルを適宜変更するだけで、各種の液晶パネルに合わせたΩ補正を容易に行うことが可能となる。この場合、第１の極性用ルックアップテーブルおよび第２の極性用ルックアップテーブルにはそれぞれ、Ｒ用、Ｇ用およびＢ用があり、上記出力階調生成部は、Ｒ、ＧおよびＢの入力階調に対し、対応する第１の極性用ルックアップテーブルあるいは第２の極性用ルックアップテーブルを用いる構成とすることもできる。こうすれば、無彩色の色温度を考慮して第１および第２の出力階調を生成できる。なお、各ルックアップテーブルが液晶パネル駆動装置が有する記憶部に格納されていても構わない。【００１６】
本液晶パネル駆動装置においては、該出力階調生成部は、上記特性に基づいた階調変換（Ω補正）処理およびガンマ補正処理を併せて行うことで上記第１あるいは第２の出力階調を生成する構成であることが好ましい。このように、ガンマ補正時にΩ補正も併せて行うことで効率的なデータ処理が可能となる。【００１７】
本液晶パネル駆動装置においては、上記第１および第２の出力階調に基づいて擬似多階調処理を行う擬似多階調処理部を備える構成とすることもできる。【００１８】
また、本液晶パネル駆動装置においては、同じ入力階調が時系列に沿って連続する場合（入力階調Ｔｉが時間的に連続するような表示を行う）場合に、上記第１および第２の出力階調が交互に生成される構成とすることもできる。【００１９】
なお、本液晶パネル駆動装置においては、上記出力階調生成部の機能をタイミングコントローラが実現しても構わない。タイミングコントローラは、もともとデータを加工しタイミング信号を作成するものであるため、これに出力階調生成部の機能を持たせることで、構成の簡易化およびコスト削減を実現することができる。【００２０】
また、本発明に係る液晶パネルの駆動方法は、液晶表示装置を第１および第２の極性に交流駆動する液晶表示装置の駆動方法であって、階調Ｔｉを示す入力データに対し、第１の極性に駆動する場合には階調Ｔ１を示す第１のデータを生成する一方で、第２の極性に駆動する場合には階調Ｔ１とは異なる階調Ｔ２を示す第２のデータを生成することを特徴とする。この場合、階調Ｔｉを示す入力データが時系列に沿って連続する（階調Ｔｉを示す入力データが時間的に連続するような表示を行う）場合に、該時系列に沿って上記第１および第２のデータを交互に生成しても良い。【００２１】
本液晶パネルの駆動方法においては、上記階調Ｔ１および階調Ｔ２は、交流駆動において入力階調と該入力階調に対応して出力すべき電圧の振幅中心とが有する特性（Ω特性）に基づいて決定されていることが好ましい。【００２２】
また、本発明の液晶表示装置は、上記した液晶パネル駆動装置と液晶パネルとを備えることを特徴とする。【００２３】
以上のように、本発明の液晶パネル駆動装置によれば、各種液晶パネルによってΩ特性が変化しても、第１および第２の出力階調（デジタルデータ）を適宜変更するだけで対応可能である。すなわち、各種液晶パネルに応じたΩ補正を容易に行うことができる。
【図面の簡単な説明】
【００２４】
【図１】本液晶パネル駆動装置の要部を示すブロック図である。
【図２】アクティブマトリクス型の液晶表示装置のパネル内部を中心とした概略図である。
【図３】本液晶パネル駆動装置の要部を示すブロック図である。
【図４】本液晶パネル駆動装置の要部を示すブロック図である。
【図５】本液晶パネル駆動装置の要部を示すブロック図である。
【図６】本実施の形態に係るルックアップテーブルである。
【図７】本実施の形態に係るルックアップテーブルである。
【図８】本実施の形態に係るソースドライバの階調毎の出力電圧と、その中間電位のグラフである。
【図９】ガンマ補正に係る従来のルックアップテーブルである。
【図１０】従来構成に係るソースドライバの階調毎の出力電圧とその中間電位のグラフである。
【図１１】一般的な液晶表示パネルの構成を示す模式図である。
【符号の説明】
【００２５】
１    液晶パネル
４    液晶パネル駆動装置
５    ゲートドライバ
６    ソースドライバ
７    駆動極性判定部
８    正極性用ＬＵＴ
９    負極性用ＬＵＴ
１０  Ω補正・ガンマ補正処理部
１１  液晶表示装置
１２  映像信号源
１３  ＲＧＢデータ
１４  ＣＫ
１５  ＥＮＡＢ
１６  ＨＳＹＮＣ
１７  ＶＳＹＮＣ
１８  タイミングコントローラ
１９  ＥＥＰＲＯＭ
２０  Ｉ２Ｃ
２１  ＲＧＢデータ
２２  ＳＣＫ
２３  ＬＳ
２４  ＲＥＶ
２５  ＳＳＰ
２６  ＧＣＫ
２７  ＧＳＰ
【発明を実施するための最良の形態】
【００２６】
本発明の実施の形態を図１〜図１０に基づいて説明すれば以下のとおりである。【００２７】
図２は、本実施の形態に係る液晶表示装置の構成を示すブロック図であり、図１は、該液晶表示装置が有する駆動装置の要部の構成を示すブロック図である。【００２８】
図１・図２に示されるように、本液晶表示装置１１は、液晶パネル１と、タイミングコントローラ１８およびＥＥＰＲＯＭ１９を有する液晶パネル駆動装置４と、ソースドライバ６と、ゲートドライバ５とを備える。タイミングコントローラ１８は、Ω補正・ガンマ補正処理部１０と、駆動極性判定部７とを備える。【００２９】
タイミングコントローラ１８は、液晶表示装置１１外にある信号源１２から送られる、ＲＧＢデータ１３（８ビットの入力階調  ＤＡＴ１３）、クロック信号のＣＫ１４、データ転送中を示すＥＮＡＢ１５、水平同期信号のＨＳＹＮＣ１６、および垂直同期信号のＶＳＹＮＣ１７を受け取る。なお、信号源１２からタイミングコントローラ１８への信号の伝送には、ＬＶＤＳ（Low Voltage Differential Signaling）などを使用したりもするが、伝送方法が変わるだけでデータの内容は変わらないのと、伝送方法そのものは本発明の本質ではないので、ここではＣＭＯＳ（Complementary Metal Oxide Semiconductor）レベルの信号で伝送するものとする。【００３０】
タイミングコントローラ１８は、ＥＥＰＲＯＭ１９（Electronically Erasable and Programmable Read Only Memory）から、Ｉ２Ｃ２０（Inter Integrated Circuit）等の通信プロトコルによって、ルックアップテーブルを読み込み、この読み込んだルックアップテーブルと、受け取ったＲＧＢデータ１３とに基づいて、その内部（タイミングコントローラ内部）でＲＧＢデータ１３にΩ補正およびガンマ補正を併せて行う。【００３１】
具体的には、図１に示すように、Ω補正・ガンマ補正処理部１０（出力階調生成部）が、映像信号源１２からのＤＡＴ１３（８ビットの入力階調）と、駆動極性判定部７の判定結果に従って読み込んだ正極性用ＬＵＴ８あるいは負極性用ＬＵＴ９とに基づいて、ＤＡＴ３３ａ・ＤＡＴ３３ｂ（１０ビットの出力階調）を生成する。【００３２】
例えば、ＤＡＴ１３が（Ｒ・Ｇ・Ｂいずれかの色の）階調Ｔｉを示すものとして、駆動極性判定部７の判定結果が正極性駆動であれば、Ω補正・ガンマ補正処理部１０は正極性用ＬＵＴ８を読み込んで階調Ｔ１を示すＤＡＴ３３ａを生成し、駆動極性判定部７の判定結果が負極性駆動であれば、Ω補正・ガンマ補正処理部１０は負正極性用ＬＵＴ９を読み込んで（階調Ｔ１とは異なる）階調Ｔ２を示すＤＡＴ３３ｂを生成する。なお、ＤＡＴ１３が連続して階調Ｔｉを示す場合（例えばＤＡＴ１３が静止画のデータである場合）には、ＤＡＴ３３ａおよびＤＡＴ３３ｂが交互に生成されることになる。【００３３】
ここで、正極性用ＬＵＴ８および負極性用ＬＵＴ９は、交流駆動において入力階調と該入力階調に対応して出力すべき電圧の振幅中心とが有する特性（Ω特性）およびガンマ特性に基づいて作成されている。したがって、ＤＡＴ３３ａ（Ｄ１）・ＤＡＴ３３ｂ（Ｄ２）は、ＤＡＴ１３にΩ補正処理およびガンマ補正処理を施して得られるデータとなる。【００３４】
上記ＴｉおよびＴ１を組み合わせた正極性用ＬＵＴ８の一例と、ＴｉおよびＴ２を組み合わせた負極性用ＬＵＴ９の一例とを図６に示す。なお、Ｔｉは８ビット２５６階調、Ｔ１・Ｔ２は１０ビット１０２４階調表現であり、２５６個のＴｉそれぞれに、１０２４個の中から選択した２５６個のＴ１あるいはＴ２を対応付けられる。【００３５】
タイミングコントローラ１８は、上記のＤＡＴ３３ａおよびＤＡＴ３３ｂをそのままあるいはこれに所望の処理（擬似多階調処理や階調遷移強調処理）を施し、これをＲＧＢデータ２１（８ビットあるいは１０ビットのデジタルデータ  ＤＡＴ２１）としてソースドライバ６に出力する。【００３６】
ソースドライバ６は、このＲＧＢデータ２１、ＳＣＫ２２（ソースドライバのクロック）、液晶パネル１へのデータ出力のタイミングを決めるＬＳ２３、液晶パネル１に書き込む極性を決めるＲＥＶ２４、およびＲＧＢデータ２１の取り込みタイミングを決めるＳＳＰ２５を用いて、信号電位（アナログデータ）を生成し、これを液晶パネル１の信号線２に出力する。例えば、ＲＧＢデータ２１がＤＡＴ３３ａに基づくものであれば対向電極の電位に対して正極（＋）側の信号電位が生成され、ＲＧＢデータ２１がＤＡＴ３３ｂに基づくものであれば対向電極の電位に対して負極（−）側の信号電位が生成される。これにより、液晶パネル１が交流駆動される。【００３７】
このように、本液晶パネル駆動装置４（図１参照）によれば、各種液晶パネルによってΩ特性が変化しても、正極性用ＬＵＴ８および負極性用ＬＵＴ９を適宜変更するだけでこれに対応できる。すなわち、本液晶パネル駆動装置４は、各種液晶パネルへの適用の自由度が非常に高い。【００３８】
本実施の形態では、ＲＧＢデータ２１に２５６階調を確保するために、ＤＡＴ３３ａ・３３ｂを１０ビットに拡張しているが、ＲＧＢデータ２１に２５６階調が必要ないのであれば、ＤＡＴ３３ａ・３３ｂを８ビットにしても構わない。【００３９】
また、ソースドライバ６が１０ビット対応であれば、図３のタイミングコントローラ１８ａのように、ＤＡＴ３３ａ・３３ｂ（出力階調）をそのままソースドライバ６に出力すれば良い。また、ソースドライバ６が８ビット対応であっても、図４に示すタイミングコントローラ１８ｂのように、Ω補正・ガンマ補正処理部１０の後段に、フレームレートコントロール（ＦＲＣ）処理あるいはディザリング処理を行う擬似多階調処理部３０を設けることで、擬似的に１０ビット表現が可能となる。【００４０】
また、本実施の形態では、データ処理の効率化のために、Ω補正・ガンマ補正処理部１０においてΩ補正とガンマ補正処理とを同時に行っているが、一方を前段、他方を後段として別々に行っても構わない。【００４１】
また、図５のタイミングコントローラ１８ｃのように、Ω補正・ガンマ補正処理部１０の後段に、階調遷移強調処理（ＯＳ処理）部４０を設けることも可能である。【００４２】
なお、タイミングコントローラ１８からソースドライバ６への信号の伝送には、ＲＳＤＳ（Reduced Swing Differential Signaling）などを使用したりもするが、伝送方法が変わるだけでデータの内容は変わらないのと、伝送方法そのものは本発明の本質ではないので、ここではＣＭＯＳレベルの信号で伝送するものとする。【００４３】
またゲートドライバ５にはゲートドライバ５のクロックとなるＧＣＫ２６、フレームの先頭を決めるＧＳＰ２７が出力され、ゲートドライバ５はこれらのデータを元に、液晶パネル１の走査線３に選択状態の電圧、もしくは非選択状態の電圧を出力する。【００４４】
図９に、従来のガンマ補正用ルックアップテーブルを示す。図９のルックアップテーブルでは、入力される階調データに対する表示輝度の比を任意に調節することはできても、Ω特性を反映させることはできない。これに対し、本実施の形態では、図６のように駆動極性に応じてルックアップテーブルを２つ用意し、正極側に駆動する場合には正極性用ＬＵＴ８を、負極側に駆動する場合には負極性用ＬＵＴ９を用いることで、各液晶パネルのΩ特性まで反映させることが可能となる。【００４５】
図１０は、従来のガンマ補正を行った場合にソースドライバへ出力される電圧を示している。例えば、入力階調がＡの場合（ガンマ補正をしなければ、正極側でＡ１、負極側でＡ２の電圧が出力される）、ガンマ補正によってＡの階調がＢの階調に変換されるため、正極側でＢ１、負極側でＢ２の電圧が出力される。すなわち、入力階調（Ａ）のガンマ変換後の階調（Ｂ）をルックアップテーブルによって決めることで、入力階調に対するソースドライバの出力電圧の振幅（Ｂ１−Ｂ２）を任意に決定することができる。これは入力階調に対する表示輝度の比をルックアップテーブルによって任意に決定できることを意味する。しかしこの従来の構成では、ソースドライバの出力電圧の振幅を任意に決定することができても、その中間電位（センター）を任意に決定することはできない。この中間電位からΔＶを引いた値が対向電極の電位に一致していることが求められるが、各液晶パネル間で液晶の誘電率あるいは補助容量（Ｃｃｓ９）の容量値が異なるとΔＶが変化し、最適な中間電位も変化する。すなわち、Ｂの階調での中間電位がハード的に決定された値にしかならない従来の構成では、Ω特性を適宜変更する（各液晶パネルに応じたΩ補正を行う）ことは容易でない。【００４６】
これに対し、本実施の形態では、駆動極性（液晶に印加する極性）に応じてルックアップテーブルを２つ用意し、図８に示すように、Ｄの階調で入力された場合、正極側駆動時はＥの階調、負極側駆動時はＦの階調に変換する。こうすれば、入力階調に対する出力電圧の振幅（Ｅ１−Ｆ２）だけでなく、中間電位（Ω特性）も任意に設定することができる。すなわち、液晶パネルごとに液晶の誘電率あるいは補助容量の容量値が異なっても、ソースドライバ内部の構成を変更することなく、ルックアップテーブル（正極性用ＬＵＴ８・負極性用ＬＵＴ９）のパラメータを変えるだけで容易にΩ補正を行うことができる。これにより、表示不具合（ＤＣ電圧が印加され続けることによる焼き付き等）の少ない液晶表示装置１１を実現することができる。【００４７】
本実施の形態においては、ＲＧＢで異なるルックアップテーブルを用いてもよい。図７のようにＲＧＢで異なるルックアップテーブルを用いると、色再現性に優れたカラー液晶ディスプレイが実現可能となる（この点につき、特開２００１−４２８３３公報を参照）。【００４８】
なお、上記した実施の形態では、液晶に電圧を印可しない状態で光が透過するノーマリーホワイトのアクティブマトリクス型液晶表示装置において、タイミングコントローラ内のルックアップテーブルを用いて入力データをガンマ補正する場合を説明しているが、これに限定されるものではない。
【産業上の利用の可能性】
【００４９】
本発明は、例えば、ＴＶ、モニター、モバイル端末、車載用ディスプレイ等に利用される液晶表示装置に好適である。
【図１】
2007108161.tif 000003
【図２】
2007108161.tif 000004
【図３】
2007108161.tif 000005
【図４】
2007108161.tif 000006
【図５】
2007108161.tif 000007
【図６】
2007108161.tif 000008
【図７】
2007108161.tif 000009
【図８】
2007108161.tif 000010
【図９】
2007108161.tif 000011
【図１０】
2007108161.tif 000012
【図１１】
2007108161.tif 000013
【国際調査報告】
2007108161.tif 000014
2007108161.tif 000015
2007108161.tif 000016
2007108161.tif 000017